【手続補正書】
【提出日】平成16年8月18日(2004.8.18)
【手続補正１】
【補正対象書類名】特許請求の範囲
【補正対象項目名】全文
【補正方法】変更
【補正の内容】
【特許請求の範囲】
【請求項１】
環状の側壁と、
該環状の側壁と一体化された底壁と、
該底壁と該環状の側壁とによって形成された内部室と、
該環状の側壁に形成されたポートと、
該環状の側壁から伸延し、該環状の側壁のほぼ全周を取り囲む、高可撓性フランジと、を具備する耳カプラ。
【請求項２】
該環状の側壁と該底壁とが透明である、請求項１記載の耳カプラ。
【請求項３】
さらに、該環状の側壁に形成されたリブを具備する、請求項１又は２記載の耳カプラ。
【請求項４】
該底壁が特徴的表面部を有する、請求項１又は２記載の耳カプラ。
【請求項５】
該底壁が、検査対象者の耳を覆う該耳カプラを位置決めする助けとなる視準標を有する、請求項１又は２記載の耳カプラ。
【請求項６】
該高可撓性フランジが粘着剤で被覆され、
該高可撓性フランジが該粘着剤を囲い込むための仕切を有する、請求項１又は２記載の耳カプラ。
【請求項７】
該高可撓性フランジが、さらに、該高可撓性フランジを該粘着剤で被覆するのに助けとなる第２の特徴的表面部を有する、請求項６記載の耳カプラ。
【請求項８】
該ポートに着脱自在にはめ込むのに適合した音響変換器をさらに具備する、請求項１又は２記載の耳カプラ。
【請求項９】
該音響変換器が該ポートに締り嵌めされる、請求項８記載の耳カプラ。
【請求項１０】
該音響変換器が該ポートに嵌め込まれたときに、該音響変換器が該環状の側壁のリブに掛着する、請求項９記載の耳カプラ。
【請求項１１】
該音響変換器が、上位置または下位置のいずれの位置においても、該環状の側壁の該リブに掛着することができる、請求項１０記載の耳カプラ。
【請求項１２】
該音響変換器が、使用中にも、掛着位置間で位置を切り換えることができる、請求項１１記載の耳カプラ。
【請求項１３】
該高可撓性フランジと一体化されたタブをさらに具備する、請求項１又は２記載の耳カプラ。
【請求項１４】
環状の側壁と、
該環状の側壁と一体化された底壁と、
該底壁と該環状の側壁とによって形成された内部室と、
該環状の側壁に形成されたポートと、
該環状の側壁から伸延し、該環状の側壁のほぼ全周を取り囲む、高可撓性フランジであって、粘着剤で被覆され、かつ、該粘着剤を囲い込むための仕切を有する高可撓性フランジと、を具備する耳カプラ。
【請求項１５】
一部品型の本体を具備する耳カプラであって、該本体が、
内部室と、
該内部室と連通するポートと、
粘着剤で被覆され、該内部室の周辺に配された高可撓性フランジとを有し、
該本体が、射出成形または熱成形によって製造された、耳カプラ。
【請求項１６】
該本体が透明である、請求項１５記載の耳カプラ。
【請求項１７】
該高可撓性フランジと一体化したタブをさらに具備する、請求項１６記載の耳カプラ。
【請求項１８】
検査対象者の耳を覆う該耳カプラを位置決めする助けとなる視準標をさらに具備する、請求項１６記載の耳カプラ。
【請求項１９】
環状の側壁と、
該環状の側壁と一体化された底壁と、
該底壁と該環状の側壁とによって形成された内部室と、
該環状の側壁に形成された、音響変換器を受け入れるためのポートであって、該音響変換器を締り嵌めするような寸法のポートと、
検査対象者の頭に該耳カプラを着脱自在に取り付けるための手段と、を具備する耳カプラ。
【請求項２０】
環状の側壁と、
該環状の側壁に連結された底壁と、
該底壁と該環状の側壁とによって形成された内部室と、
該環状の側壁に形成されたポートと、
該環状の側壁に連結され、該環状の側壁のほぼ全周を取り囲む、高可撓性フランジであって、検査対象者の頭に該耳カプラを取り付けるために粘着剤で被覆された高可撓性フランジと、を具備する耳カプラ。
【請求項２１】
環状の側壁と、
該環状の側壁と一体化された底壁と、
該底壁と該環状の側壁とによって形成された内部室と、
該環状の側壁に形成されたポートと、
上位置または下位置のいずれの位置においても、該環状の側壁に掛着するように適合した音響変換器と、を具備する耳カプラ。
【請求項２２】
環状の側壁と、底壁と、高可撓性フランジとを有する、一部品型で透明な本体を供給する工程と、
音響変換器を入れるためのポートを、該環状の側壁に規定する工程と、
該高可撓性フランジ上に粘着剤を配する工程と、を具備する耳カプラの組立て方法。
【請求項２３】
該底壁に特徴的表面部を規定する工程をさらに具備する、請求項２２記載の耳カプラの組立て方法。
【請求項２４】
該環状の側壁にリブを規定する工程をさらに具備する、請求項２３記載の耳カプラの組立て方法。
【請求項２５】
環状の側壁と、
該環状の側壁に取り付けられた底壁と、
該底壁と該環状の側壁とによって形成された内部室と、
該環状の側壁に形成されたポートであって、該ポートに入り、かつ、そこから出るように伸延する縦軸を有するポートと、
該ポートから伸延する部分が該縦軸にほぼ直交するように、該ポートに取り外し可能に取り付けることができる音響変換器と、を具備する耳カプラ組立体。
【請求項２６】
聴覚評価に使用される耳カプラの製造方法であって、
請求項２５記載の耳カプラ組立体を提供する工程と、
その一部が該縦軸にほぼ直交するように、該音響変換器を該ポートに取り付ける工程と、を具備する耳カプラの製造方法。
【請求項２７】
環状の側壁と、
該環状の側壁に取り付けられた底壁と、
該底壁と該環状の側壁とによって形成された内部室と、
該環状の側壁に形成されたポートと、
音響変換器と、を具備し、
該音響変換器が腕部を有し、該音響変換器が該ポートに取り付けられたとき、該腕部が該ポートから横方向に伸延する、耳カプラ組立体。
【請求項２８】
聴覚評価に使用される耳カプラの製造方法であって、
請求項２７記載の耳カプラ組立体を提供する工程と、
該腕部が該ポートから横方向に伸延するように、該音響変換器を該ポートに取り付ける工程と、を具備する耳カプラの製造方法。
【手続補正２】
【補正対象書類名】明細書
【補正対象項目名】００２８
【補正方法】変更
【補正の内容】
【００２８】
音響変換器（70）は、聴覚的励振を発生させるための変換器を収容した組立体である。音響変換器は、その環境内での音響エネルギーをモニターするためのマイクロホンのような他の装置を収容してもよい。音響変換器は、それを聴覚評価装置に接続するケーブルの一端に接続されている。音響変換器は、パチンとポートに押し込まれて、図１１及び図１２に示されるように、耳カプラの側面に沿って、上側にも下側にも位置させることができる。図１１および図１２に示すように、音響変換器は、検査中に、上位置と下位置との間で回転させることができる。環状の側壁のリブの上へパチンと押し込まれて、耳カプラが引っ張られても検査対象者の頭から離れないことを確実にする助けをする掛部を、音響変換器が有していてもよい。音響変換器は耳カプラの側面を抱き込むか、または、側面に添っている。そのことが、粉砕抵抗を改善し、また、音響変換器が、耳カプラを検査対象者の頭から引き離すレバーアームとして作用することを防止する。
音響変換器は、音響変換器(70)がポート(60)に配置されたときにこのポート(60)から横方向へ伸延する腕部(72)を有する（図４、図７、図８、図９、図１０  及び  図１１参照）。
【手続補正３】
【補正対象書類名】図面
【補正対象項目名】図４
【補正方法】変更
【補正の内容】
【図４】
2005501580.tif 000001
【手続補正４】
【補正対象書類名】図面
【補正対象項目名】図５
【補正方法】変更
【補正の内容】
【図５】
2005501580.tif 000002
【手続補正５】
【補正対象書類名】図面
【補正対象項目名】図６
【補正方法】変更
【補正の内容】
【図６】
2005501580.tif 000003
【手続補正６】
【補正対象書類名】図面
【補正対象項目名】図７
【補正方法】変更
【補正の内容】
【図７】
2005501580.tif 000004
【手続補正７】
【補正対象書類名】図面
【補正対象項目名】図８
【補正方法】変更
【補正の内容】
【図８】
2005501580.tif 000005
【手続補正８】
【補正対象書類名】図面
【補正対象項目名】図９
【補正方法】変更
【補正の内容】
【図９】
2005501580.tif 000006
【手続補正９】
【補正対象書類名】図面
【補正対象項目名】図１０
【補正方法】変更
【補正の内容】
【図１０】
2005501580.tif 000007
【手続補正１０】
【補正対象書類名】図面
【補正対象項目名】図１１
【補正方法】変更
【補正の内容】
【図１１】
2005501580.tif 000008